(57)【特許請求の範囲】
【請求項１】
その外周において、側縦縁を開口部縦枠に着脱自在に固定される網押さえフープに接合するメッシュ状網を巻回してなる網ロールを引出自在に保持すると共に、その内部においては、トーションスプリングを装着したシャフトを一体に回動自在となるように挿嵌してなる可撓性の巻取軸を、上、下蓋ブラケットを介して回動自在に上下方向から軸支持してなる収納ケースを、この収納ケースに付設する駆動ハンドルの操作により、その内部において、付設するレバーにより開口部上下枠の上下枠レールを挟持又は開放することで収納ケースの左右方向へのスライド及び任意の位置での静止固定を自在としてなる収納ケース移動停止安全機構を内設する上記上、下蓋ブラケットを介して、開口部上下枠の枠レール内に摺動自在に案内係合してなる縦型ロール網戸。
【請求項２】
巻取軸内において、トーションスプリングを装着すると共に、一体に回動するよう挿嵌されたシャフトの上端部に取り付けられたラチェットと、蓋ブラケット内に押バネの弾性を利用して保持されるブレーキ板の爪との係合を、駆動ハンドルの操作により作動する連動杆、又はブレーキ板のフランヂ頭に対する対設縦枠に固定された板バネの弾発によって生じるスライドにより係合自在とすることで、巻取軸に軸着保持される細ロールから網を引出、巻き取り自在とすると共に、巻取軸の回転を阻止し網の更なる引出を抑制し、網の張設、収納状態を維持可能としてなる縦型ロール網戸。
【請求項３】
その外周において、側縦縁を開口部縦枠に着脱自在に固定される網押さえフープに接合するメッシュ状網を巻回してなる網ロールを引出自在に保持すると共に、その内部においては、トーションスプリングを装着したシャフトを一体に回動自在となるように挿嵌してなる可撓性の巻取軸を、上、下蓋ブラケットを介して回動自在に上下方向から軸支持してなる収納ケースを、この収納ケースに付設する駆動ハンドルの操作により、その内部において、付設するレバーにより開口部上下枠の上下枠レールを挟持又は開放することで収納ケースの左右方向へのスライド及び任意の位置での静止固定を自在としてなる収納ケース移動停止安全機構を内設する上、下蓋ブラケットを介して、開口部上下枠の枠レール内に摺動自在に案内係合するものとした上で、駆動ハンドルの駆動により、前記レバーによる開口部上下枠の上下ガイドレールの挟持を開放すると共に、上記巻取軸内に挿嵌されるシャフトの上端部に取り付けられたラチェットと、蓋ブラケット内に押バネの弾性を利用して保持されるブレーキ板の爪との係合を、駆動ハンドルの駆動により作動する連動杆により解くことで、収納ケースを左右方向ヘスライド自在とすると共に、巻取軸に軸着保持される網ロールから網を引出、巻き取り自在とし、又、駆動ハンドルを復帰することで、開放されている上記レバーが再び上下枠レールを挟持して、収納ケースを静止固定させると共に、再びラチェットとブレーキ板の爪との係合を確保して巻取軸の回転を阻止し網の更なる引出を抑制し、網の張設、収納状態を維持可能としてなる縦型ロール網戸。
【請求項４】
請求項１、請求項２、又は請求項３において、開口部上枠より、介在させる圧縮バネによってその開口丈を伸縮自在としてなるフラットバーを弾性をもって吊持してなる開口枠に対して、内部にトーションスプリングを装着するシャフトを挿嵌し、メッシュ状の網を引出自在に巻回保持する巻取軸を回転自在に軸着保持する収納ケース上、下端に配設される蓋ブラケットのうち、上蓋ブラケット内に、フラットバーに接して転動するよう上部ローラーブラケットにローラーを、下蓋ブラケット内には、開口部下枠上を転動する戸車を軸着保持してなる縦型ロール網戸。
【請求項５】
巻取軸に回転自在に保持される網ロールを構成する網を、ポリエステル製メッシュ状網の両端縁に、アルミを蒸着して鏡面仕上とした５〜２０ｍｍ幅の極薄ポリエステルフープ（０．０３〜０．０４ｍｍ厚）を網の両側面に貼合せ、網枡目開口から両側フープを一体的に接合するとともに、丸味を帯びた線形の縦縒り糸を高圧プレスによって偏平に押潰して網縁を中間部の網厚さと同等以下の厚さに成型し、巻取軸に卷回される網ロール外周径が全長にわたって均一となるように網縁を補強してなる請求項１、請求項２、請求項３又は請求項４記載の縦型ロール網戸。
【発明の詳細な説明】
【０００１】
【発明が属する技術分野】
この発明は、引違サッシ枠開口、及びドア開口や片開窓開口に配設され、水平方向に拡開張設される縦型ロール網戸に開する。
【０００２】
【従来の技術】
従来の縦型ロール網戸は、巻取軸に網を卷回した網ロールを収容する収納ケースを開口縦枠に固定し、網縦縁を固定した縦移動枠を開口上下枠に横引自在に摺動係合してなるものがあるが、後述する種々の問題を有しており、種々提案されていても実用化されているものが少ない。即ち、一部に勝手口ドア用の縦型ロール網戸として使用されているものや、収納ケースを窓の上端部に横架固定して網を下方に引下し拡開張設する横型ロール網戸が一般的である。
【０００３】
【発明か解決しようとする課題】
上記従来型ロール網戸には以下のような種々の問題点を有している。
まず、網を弛みなく張設するには、巻取軸と縦移動枠が網に引張られて弓なりに撓まない程の強度を有する大きな断面とする必要があり、巻取外周径の大きな網ロールを収容する収納ケースも必然的に大きな断面となり、縦移動枠と密着閉鎖する時の全体見付幅が大きく、開口幅を狭めるばかりか外観上見苦しく、かつ狭いスペース、例えば横引アルミサッシ枠見込寸法内にコンパクトに収まり切れない。即ち、巻取軸と縦移動枠の断面が大きく狭いスペースにコンパクトに収まり切れないというものである。
【０００４】
更に、風圧等の外圧を受けても網が面外方向に膨れず上下端線に隙間か生じない程に、トーションスプリングの賦勢力を強めると、縦移動枠と開口縦枠との係合を解除した瞬間に縦移動枠は勢良く衝撃的に引戻されて収納ケースに衝突し、衝撃音を発するとともに、部材変形や部品破損に加えて危険である。即ち、トーションスプリングの強力な賦勢力に抗して拡開張設された網の縦移動枠と開口縦枠との係合を解除すると、上記トーションスプリングにより縦移動枠が衝撃的に引戻されて危険であるというものである。
【０００５】
一方、前記危険を回避するため、トーションスプリングの賦勢力を弱めに調整すると、巻取軸の逆回転が拘束されないので、風圧で網が引張られて面外方向に膨み易くなり、網が中央で膨み上下端線に隙間か生じて防虫作用が損なわれるのみならず、巻取軸に巻残された余巻分の網が全部拡開されてしまうと共に、網縦縁を巻取軸に両面テープで接着接合した程度では引きはがされてしまうので、巻取軸外周にスリット状ポケットを設けて、このポケットに樹脂フープ等の挟持材を用いて網縁を固定する方法を講じなければならず、巻取軸外周径及び網ロール外周径が大きくなってしまい、収納ケース内径寸法も大きくしなければならないという欠点を有している。
【０００６】
また、メッシュ状網は、縦糸を太目で引張強度の強い縒り糸として、この縦糸に細い横糸を絡めて織込まれてなるものであるが、中間部では縦糸と横糸が相互に補強し合って横方向の伸びが少ないが、上下端部に近づく程、縦糸が自由端に近づくので横糸の伸びが顕著となる。即ち、網の上下端線においては引張強度が弱いために、伸びて捲れ易く、かつ糸解れが生じるものである。特に、ロール網は、腰の強い縦糸を巻取軸に平行に巻取られるものであり、上下方向の伸びは微小であるが、上記のように上下端部の横方向の伸びが大きくなると使用中に反り返って折曲がったまま巻取収容され、再び拡開しても折曲ぐせがついて上下枠レールとの間の隙間が大きくなって防虫作用が損なわれることに加えて、中間部以上に伸びた上下端附近は拡開緊張度が緩く、フレア現象の原因となるものである上、網上下端は熱処理切断したとしても糸解れは防ぎ得ず見苦しい外観を呈することとなる。
【０００７】
その一方で、網ロール外周径をコンパクトにして細く巻取るために、巻取軸を軸移動可能とし、網ロール外周が収納ケース内壁面に摺動支持され、細径巻取組の撓みを防止する方法が提案されているが、網ロールは中間部と端部では巻取締付け硬さが異なる、即ち上記のように上下端附近が伸びた網の網ロールは上下端に近づく程巻取硬さが緩いので、収納ケース内壁面に圧着支持されると網ロール外周は楕円状に変形し、収納ケースのスリット状出口に網溜りとして詰まってしまい、軽快な巻取動作に支障をきたすこととなる。
【０００８】
更に、網ロールの巻取硬さは巻取軸の外周径に比例する。即ち網の巻厚さが厚くなる程網ロール外周は柔らかくなるので、一般的には太い外径の巻取軸に巻取厚さを少なく巻取る構成としており、前記大きな断面のロール網戸となる要因ともなっている。
【０００９】
そして、上述した網縁においては、引張強度が弱いために伸びて捲れ易く、かつ糸解れが生じることの解決手段として、ポリエステルフープを糸で網縁に縫合、又はジップファスナーの歯が連続固定された布製フープを縫合わせる方法が講じられているが、フープと糸が付加されるので網厚が厚くなって、端部では網ロール外周径が大きくなるため、収納ケース内径寸法も大きくしなければならず、一方中間部では端部と比べてその網厚が薄くなるため、端部と中間部で網ロール外周径が異なるものとなって軽快な巻取動作が得られ難いものであり、更には、上記フープを網縁に縫合するにあたっては、両面接着テープで仮止めして作業が行われており、この煩雑な作業自体が製造作業の作業性を低下させ、コストアップの要因となっている。
【００１０】
その上、上記ジップファスナーの歯が連続固定されたロール網戸は主に横型ロール網戸、即ち収納ケースを窓枠上端部に固定し、両側縦枠レール案内溝に網縁を押入摺動するとともにファスナー歯が案内溝リブにフック係合される構造のものが一般的であるが、摩擦抵抗で開閉動作が滑らかでなく、網縁が枠レールから逸脱すると修復が煩雑で面倒であるという欠点もある。
【００１１】
そこで、この発明は従来のものの有する欠点を解消しようとするものであり、消費者等に対して、コンパクトであって、耐久性、開閉操作時における操作性及び安全性に優れる縦型ロール網戸を提供しようとするものである。
【００１２】
【課題を解決するための手段】
そのために、引違サッシ枠開口、及びドア開口や片開窓開口に配設され、水平方向に拡開張設される縦型ロール網戸を、その外周において、側縦縁を開口部縦枠に着脱自在に固定される網押さえフープに接合するメッシュ状網を巻回してなる網ロールを引出自在に保持すると共に、その内部においては、トーションスプリングを装着したシャフトを一体に回動自在となるように挿嵌してなる可撓性の巻取軸、好ましくは軽量、かつ可撓性の塩化ビニール、又はＡＢＳ等の合成樹脂製の巻取軸を、上、下蓋ブラケットを介して回動自在に上下方向から軸支持してなる収納ケースを、この収納ケースに付設する駆動ハンドルの操作により、その内部において、付設するレバーにより開口部上下枠の上下枠レールを挟持又は開放することで収納ケースの左右方向へのスライド及び任意の位置での静止固定を自在としてなる収納ケース移動停止安全機構を内設する上記上、下蓋ブラケットを介して、開口部上下枠の枠レール内に摺動自在に案内係合してなるものとする。
【００１３】
また、可撓性の巻取軸、好ましくは軽量、かつ可撓性の塩化ビニール、又はＡＢＳ等の合成樹脂製の巻取軸内において、トーションスプリングを装着すると共に、一体に回動するよう挿嵌されたシャフトの上端部に取り付けられたラチェットと、蓋ブラケット内に押バネの弾性を利用して保持されるブレーキ板の爪との係合を、駆動ハンドルの操作により作動する連動杆、又はブレーキ板のフランヂ頭に対する対設縦枠に固定された板バネの弾発によって生じるスライドにより係合自在とすることで、巻取軸に軸着保持される網ロールから網を引出、巻き取り自在とすると共に、巻取軸の回転を阻止し網の更なる引出を抑制し、網の張設、収納状態を維持可能とするものである。
【００１４】
更に、その外周において、側縦縁を開口部縦枠に着脱自在に固定される網押さえフープに接合するメッシュ状網を巻回してなる網ロールを引出自在に保持すると共に、その内部においては、トーションスプリングを装着したシャフトを一体に回動自在となるように挿嵌してなる可撓性の巻取軸、好ましくは軽量、かつ可撓性の塩化ビニール、又はＡＢＳ等の合成樹脂製の巻取軸を、上、下蓋ブラケットを介して回動自在に上下方向から軸支持してなる収納ケースを、この収納ケースに付設する駆動ハンドルの操作により、その内部において、付設するレバーにより開口部上下枠の上下枠レールを挟持又は開放することで収納ケースの左右方向へのスライド及び任意の位置での静止固定を自在としてなる収納ケース移動停止安全機構を内設する上、下蓋ブラケットを介して、開口部上下枠の枠レール内に摺動自在に案内係合するものとした上で、駆動ハンドルの駆動により、前記レバーによる開口部上下枠の上下ガイドレールの挟持を開放すると共に、上記巻取軸内に挿嵌されるシャフトの上端部に取り付けられたラチェットと、蓋ブラケット内に押バネの弾性を利用して保持されるブレーキ板の爪との係合を、駆動ハンドルの駆動により作動する連動杆により解くことで、収納ケースを左右方向ヘスライド自在とすると共に、巻取軸に軸着保持される網ロールから網を引出、巻き取り自在とし、又、駆動ハンドルを復帰することで、開放されている上記レバーが再び上下枠レールを挟持して、収納ケースを静止固定させると共に、再びラチェットとブレーキ板の爪との係合を確保して巻取軸の回転を阻止し網の更なる引出を抑制し、網の張設、収納状態を維持可能としてなるものでもある。
【００１５】
そして、上記引違サッシ枠開口、及びドア開口や片開窓開口に配設され、水平方向に拡開張設される縦型ロール網戸を、その外周において、側縦縁を開口部縦枠に着脱自在に固定される網押さえフープに接合するメッシュ状網を巻回してなる網ロールを引出自在に保持すると共に、その内部においては、トーションスプリングを装着したシャフトを一体に回動自在となるように挿嵌してなる可撓性の巻取軸を、上、下蓋ブラケットを介して回動自在に上下方向から軸支持してなる収納ケースを、この収納ケースに付設する駆動ハンドルの操作により、その内部において、付設するレバーにより開口部上下枠の上下枠レールを挟持又は開放することで収納ケースの左右方向へのスライド及び任意の位置での静止固定を自在としてなる収納ケース移動停止安全機構を内設する上記上、下蓋ブラケットを介して、開口部上下枠の枠レール内に摺動自在に案内係合してなる、あるいは、巻取軸内において、トーションスプリングを装着すると共に、一体に回動するよう挿嵌されたシャフトの上端部に取り付けられたラチェットと、蓋ブラケット内に押バネの弾性を利用して保持されるブレーキ板の爪との係合を、駆動ハンドルの操作により作動する連動杆、又はブレーキ板のフランヂ頭に対する対設縦枠に固定された板バネの弾発によって生じるスライドにより係合自在とすることで、巻取軸に軸着保持される網ロールから網を引出、巻き取り自在とすると共に、巻取軸の回転を阻止し網の更なる引出を抑制し、網の張設、収納状態を維持可能とする、又、あるいは、その外周において、側縦縁を開口部縦枠に着脱自在に固定される網押さえフープに接合するメッシュ状網を巻回してなる網ロールを引出自在に保持すると共に、その内部においては、トーションスプリングを装着したシャフトを一体に回動自在となるように挿嵌してなる可撓性の巻取軸を、上、下蓋ブラケットを介して回動自在に上下方向から軸支持してなる収納ケースを、この収納ケースに付設する駆動ハンドルの操作により、その内部において、付設するレバーにより開口部上下枠の上下枠レールを挟持又は開放することで収納ケースの左右方向へのスライド及び任意の位置での静止固定を自在としてなる収納ケース移動停止安全機構を内設する上、下蓋ブラケットを介して、開口部上下枠の枠レール内に摺動自在に案内係合するものとした上で、駆動ハンドルの駆動により、前記レバーによる開口部上下枠の上下ガイドレールの挟持を開放すると共に、上記巻取軸内に挿嵌されるシャフトの上端部に取り付けられたラチェットと、蓋ブラケット内に押バネの弾性を利用して保持されるブレーキ板の爪との係合を、駆動ハンドルの駆動により作動する連動杆により解くことで、収納ケースを左右方向ヘスライド自在とすると共に、巻取軸に軸着保持される網ロールから網を引出、巻き取り自在とし、又、駆動ハンドルを復帰することで、開放されている上記レバーが再び上下枠レールを挟持して、収納ケースを静止固定させると共に、再びラテェットとブレーキ板の爪との係合を確保して巻取軸の回転を阻止し網の更なる引出を抑制し、網の張設、収納状態を維持可能としてなる縦型ロール網戸において、開口部上枠より、介在させる圧縮バネによってその開口丈を伸縮自在としてなるフラットバーを弾性をもって吊持してなる開口枠に対して、内部にトーションスプリングを装着するシャフトを挿嵌し、メッシュ状の網を引出自在に巻回保持する巻取軸を回転自在に軸着保持する収納ケース上、下端に配設される蓋ブラケットのうち、上蓋ブラケット内に、フラットバーに接して転動するよう上部ローラーブラケットにローラーを、下蓋ブラケット内には、開口部下枠上を転動する戸車を軸着保持してなるものである。
【００１６】
このとき、上記各々の縦型ロール網戸において、巻取軸、好ましくは軽量、かつ可撓性の塩化ビニール、又はＡＢＳ等の合成樹脂製の巻取軸に回転自在に保持される網ロールを構成する網を、ポリエステル製メッシュ状網の両端縁に、アルミを蒸着して鏡面仕上とした５〜２０ｍｍ幅の極薄ポリエステルフープ（０．０３〜０．０４ｍｍ厚）を網の両側面に貼合せ、網枡目開口から両側フープを一体的に接合するとともに、丸味を帯びた線形の縦縒り糸を高圧プレスによって偏平に押潰して網縁を中間部の網厚さと同等以下の厚さに成型し、巻取軸に卷回される網ロール外周径が全長にわたって均一となるように網縁を補強してなるものである。
【００１７】
【発明の実施の形態】
引違窓枠に配設されるロール網戸は、引違障子の開放部のみを網で閉鎖するために、障子開放幅に合せて収納ケースを自在の位置に静止固定する必要がある。そのために、開放された障子の縦框に収納ケースを着脱自在に重ね合わせ係合する方法もあるが、トーションバースプリングの賦勢力が強過ぎて網に障子が引戻されて静止不能の状態も生じるし、収納ケースと縦框の係合を解くと衝撃的に引戻されることがあるため、収納ケースの上下端に固定配設される蓋ブラケットが上下枠レールに自在の位置に自動係合されて静止固定されるように構成するべく、収納ケース上下端の蓋ブラケットに、上下枠レールを挟持するレバーを内設し、収納ケースに付設する駆動ハンドルの操作により、そのレバーの上下枠レールヘの挟持・開放を自在とすることで、収納ケースを摺動させて網を拡開するにあたっては、網を巻回する巻取軸を、例えば軽量、かつ可撓性の塩化ビニール、又はＡＢＳ等の合成樹脂製の巻取軸とすることによって、長期間の使用等によっても、網を拡開する際に発生する引張力によって撓みぐせがついて、巻取軸の回転に際して円錐運動を起こしてしまわず、円滑に回転運動を行うものとなるので操作力を軽減できると共に、駆動ハンドルによりレバーの上下枠レールに対する挟持係合を解きつつ収納ケースを摺動させ、所望の位置まで収納ケースを摺動させた後は、駆動ハンドルにより再度レバーの上下枠レールに対する挟持係合がなされて、収納ケースは引戻されない程強固に静止固定されるものとなる。
【００１８】
そして、網を巻戻し収納する時には、駆動ハンドル操作によって上記レバーの枠レールヘの挟持係合を解いてやれば、収納ケースは、巻取軸に内接されたトーションバースプリングの賦勢力で自動的に巻取収容されることとなり、この際、駆動ハンドルが元の位置に復帰すれば、上記駆動ハンドルと一体となるレバーが上下枠レールを挟持することとなって収納ケースの引戻動作が直ちに停止されて収納ケースに強い衝撃を与えることを防げるが、収納ケースを完全に所定位置まで引戻すには駆動ハンドルを駆動し続ける必要がある。
【００１９】
一方、巻取軸内において、一体に回動するよう挿嵌されたシャフトの上部に取付けられたラチェットに対して、引違サッシ枠に配設されるロール網戸の場合は、駆動ハンドルと一体に作動する連動杆によりブレーキ板の爪が着脱自在に歯合して巻取軸の逆回転を防止するものであり、収納ケースを横引するために、前記駆動ハンドルを駆動してブレーキ板とラチェットの係合を解けば巻取軸はフリーとなり、収納ケースを摺動させた後、駆動ハンドルを復帰すると上記ブレーキ板がラチェットに再歯合するものであって、また、ドア開口、及び片開窓開口に配設されるロール網戸の場合では、収納ケースを摺動させて対設縦枠に当接係合すると、ブレーキ板が対設縦枠に固定された板バネに押されて横移動してブレーキ板の爪がラチェットに歯合し、巻取軸の逆回転が防止される一方で、収納ケースと縦枠との係合を解き、収納ケースが縦枠から離れると、ブレーキ板はバネ作用で横スライドされてラチェットとの係合が解除される構成とすることによって、巻取軸の逆回転を拘束することができるので、網が面外方向に圧力を受けて大きく膨らんだり、又は網縦縁が巻取軸から引きはがされることを防止できるものである。
【００２０】
そして、前記レバーによる開口部上下枠の上下枠レールの挟持及び開放操作と、ラチェットとブレーキ板の爪との係合・解除操作を、駆動ハンドルによる同一操作により可能とする、即ち、レバーによる開口部上下枠の上下枠レールの挟持がなされている際にはラチェットとブレーキ板の爪との係合を維持し、前記挟持が開放される際には、同時にラチェットとブレーキ板の爪との係合を解除することで、収納ケースの静止固定並びに巻取軸の逆回転による網の面外方向への膨らみ等を同時に防止することができるものである。
【００２１】
また、開口部上枠より、介在させる圧縮バネによってその開口丈を伸縮自在としてなるフラットバーを弾性をもって吊持してなる開口枠に対して、内部にトーションスプリングを装着するシャフトを挿嵌し、メッシュ状の網を引出自在に巻回保持する巻取軸を回転自在に軸着保持する収納ケース上、下端に配設される蓋ブラケットのうち、上蓋ブラケット内に、フラットバーに接して転動するよう上部ローラーブラケットにローラーを、下蓋ブラケット内には、開口部下枠上を転動する戸車を軸着保持してなることで、開口丈を微小縮小することによって形成される縮小された開口丈間において、巻取軸を回転自在に軸着保持する収納ケース上、下端に配設される蓋ブラケットのうち、上蓋ブラケット内には、開口部上枠に弾性をもって吊持されるフラットバーに接して転動するようローラーが上部ローラーブラケットに、下蓋ブラケット内には、開口部下枠上を転動する戸車が、圧入誘導されつつ軸着保持されているので、トーションスプリングの弾性により摺勤する収納ケースに対して、上記フラットバーを吊持する圧縮バネの下方に向けての弾発力により、上蓋ブラケット内のローラーと下蓋ブラケット内の戸車を挟持して、摩擦力によるブレーキ作用を加えることとなるので、収納ケースの引戻加速度がスローダウン、又は急停止することとなるものであると共に、また急停止、又はスローダウンされて収納ケースが縦枠に軟着又は引戻されるかの選択は、上記圧縮バネの調整で行うことができ、特に急停止した収納ケースは所定位置まで手で押し込むことによって衝撃的引戻を防止することができる。
【００２２】
なお、拡開される網は、幅５〜２０ｍｍの極薄地（０．０３〜０．０４ｍｍ）のポリエステルフープの片面に予め接着剤を塗布したものを網に挟み込んで両面から貼り合わせ、網の枡目から両側ポリエステルフープを接合すると共に、丸みを帯びた線形縦縒り糸を高圧プレスによって扁平状に押漬して、そのポリエステルフープにより補強した網縁が中間部網厚さと同等以下とすることで、巻取軸に巻回される網ロール外周径が全長にわたって均一となり、網縁の糸解れ、及び伸びて反り返り、折れ曲がったまま収納ケースに巻き込まれてしまうことを防止することができる。
【００２３】
【実施例】
図１は、この発明の第１実施例である縦型ロール網戸を、上下枠（３２）、（３３）及び縦枠（３４）からなる縦枠引違アルミサッシ枠に取り付けた内観正面図であって、網（１）の縦縁をサッシ枠に後述する網押さえフープ（６）で着脱自在に固定し、網ロール（１Ｒ）を内接する内周面にスリット（２Ｓ）を有する中空異形断面の収納ケース（２Ｌ）、（２Ｒ）の上下端に固定された蓋ブラケット（３）、（４）を上下枠（３２）、（３３）の枠レール（３２ａ）、（３３ａ）に着脱自在に嵌合し、かつ横走行自在とし、収納ケース（２Ｌ）、（２Ｒ）を縦移動枠として横引することで、弓なりに反った状態でも円錐運動することなく軸芯に沿って回動可能である軽量且つ柔軟な、例えば、塩化ビニール又はＡＢＳ樹脂等の樹脂製の巻取軸（１３）に巻回される網ロール（１Ｒ）の網（１）を収納ケース（２Ｌ）、（２Ｒ）より引出すと共に拡開し、張設してなるものである。  ここで、収納ケース（２Ｌ）、（２Ｒ）は、左右障子（３５Ｒ）、（３５Ｌ）を案内する上下枠レール（３２ａ）、（３３ａ）に嵌合され、左右障子（３５Ｒ）、（３５Ｌ）の縦框（３６Ｒ）、（３６Ｌ）と並設され、即ち互いに二本のレール（３２ａ）（３３ａ）、（３２ｂ）（３３ａ）上で引違えるように配設されている。
【００２４】
図２は、この発明の第１実施例である縦型ロール網戸の駆動ハンドル（２１）部分を除く要部拡大斜視図であり、この図２に示す縦型ロール網戸は、その外周において、側縦縁を縦枠（３４）の案内溝（３４ａ）に着脱自在に固定される網押さえフープ（６）に接合するメッシュ状網（１）を巻回してなる網ロール（１Ｒ）を引出自在となるように保持すると共に、その内部においては、トーションスプリング（１４）を装着したシャフト（１７）を一体に回動自在となるように挿嵌してなる可撓性の巻取軸（１３）を、上、下蓋ブラケット（４）、（３）を介して回動自在に上下方向から軸支持してなる収納ケース（２Ｌ）を、この収納ケース（２Ｌ）に付設する駆動ハンドル（２１）の操作により、その内部において、付設するレバー（７ａ）、（７ｂ）により上下枠（３２）、（３３）の上下枠レール（３２ａ）、（３３ａ）を挟持又は開放することで収納ケース（２Ｌ）の左右方向へのスライド及び任意の位置での静止固定を自在としてなる収納ケース移動停止安全機構を内設する上、下蓋ブラケット（４）、（３）を介して、上下枠（３２）、（３３）の上下枠レール（３２ａ）、（３３ａ）内に摺動自在に案内係合するものとなる。因に、網ロール（１Ｒ）は、φ１０ｍｍ程度の巻取軸（１３）に、拡開幅８５０〜９００ｍｍのメッシュ状網が外周径φ１９〜２０ｍｍ程にコンパクトに卷回されている。そして、収納ケース（２Ｌ）に周設されるＣ型断面の案内溝（２ａ）内において、その上下端にはラッチ（８）、（９）が接続固定される連動杆（２ｃ）が上下方向に摺動自在に嵌合されており、その連動杆（２ｃ）の上下端のラッチ（８）、（９）は、上ラッチ（９）に有するポケット（９ａ）内に収容するコイル状の押バネ（１１）上端が上蓋ブラケット（４）下面に当接することにより、常時下方にバネ作用で圧縮保持され、ラッチ（８）、（９）先端の斜面（９ｃ）がレバー（７ａ）、（７ｂ）の先端斜面（７ｄ）に押圧係合してレバー（７ａ）、（７ｂ）を閉じて、上、下枠レール（３２ａ）、（３３ａ）を挟持せしめている。
なお、収納ケース（２Ｌ）の網（１）が通過するスリット（２Ｓ）は、上、下枠レール（３２ａ）、（３３ａ）と符合する（上、下枠レール方向に開口するように配設される）構成とし、拡開される網（１）の上下端縁は張設するにあたって上、下枠レール（３２ａ）、（３３ａ）に密着してなるものであって、この網（１）縦縁では、接着されて網（１）を扶持するようにしてなる網押さえフープ（６）が縦枠（３４）の前記案内溝（３４ｃ）に着脱自在に圧入嵌合されており、また、網（１）上下端縁は、後述する極薄のポリエステルフープ（３８）が網（１）の両側から貼合され、糸解れ、及び伸びが防止されるように補強されているものである。
【００２５】
図３は、この発明の第１実施例である縦型ロール網戸を構成する収納ケース（２Ｌ）の上端部の分解斜視図であって、上蓋ブラケット（４）には、上ガイドレール（３２ａ）に嵌合して横走行する案内溝（４ｃ）が形成され、収納ケース（２Ｌ）上端に嵌合固定されると共に、前記レバー（７ａ）、（７ｂ）は、上蓋ブラケット（４）内に、案内溝（４ｃ）の両側に軸着格納され、巻バネ（１０）で上レール（３２ａ）から外れる方向に弾発されているものであって、上蓋ブラケット（４）下面の開放孔からラッチ（９）が挿入され、その先端で二枝に分岐したラッチ先端の爪（９ｂ）の内側傾斜面がレバー（７ａ）、（７ｂ）の先端斜面（７ｄ）に強弱自在に係合してレバー（７ａ）、（７ｂ）を開閉動することによって、上枠レール（３２ａ）を解放、挟持する構成としている。
ここで、ラッチ（９）は特に図４において示すように、ポケット（９ａ）に圧縮した押バネ（１１）を収容すると共に、この押バネ（１１）先端は上蓋ブラケット（４）下面に当接し、ラッチ（９）を常時下方に弾発して、ラッチ先端の爪（９ｂ）の内側傾斜面とレバー（７ａ）、（７ｂ）の先端斜面（７ｄ）とを強く係合させて、レバー（７ａ）、（７ｂ）を閉じて上枠レール（３２ａ）を挟持せんとし、一方、このラッチ（９）に対して固定接続された連動杆（２ｃ）の下端では、前記下部ラッチ（８）が接続されており、下蓋ブラケット（３）のレバー（７ａ）、（７ｂ）も同時に下枠レール（３３ａ）を挟持する構成となっているものである。
なお、図３において示す（１２）はラチェットであって、網ロール（１Ｒ）の巻取軸（１３）に挿嵌されるシャフト（１７）上端部に嵌合し、凸条（１２ａ）によって空転が拘束されるものであって、また（１４）はトーションスプリングで、両端をスプリング端子（１５）、（１６）に固定され、一方のスプリング端子（１６）は凸条（１６ａ）が巻取軸（１３）のスリット（１３ａ）に係合して空転不能に巻取軸（１３）に挿嵌され、他方のスプリング端子（１５）はシャフト（１７）の下端に固定され、シャフト（１７）上端は天蓋（１８）のボス（１８ａ）に固定され、天蓋（１８）は上蓋ブラケット（４）に着脱自在に固定されるものである。
一方、（１９）はブレーキ板であって、巻取軸（１３）上端に突出するラチェット（１２）を包み込むように成型された半円型内周囲先端には、ラチェット（１２）と歯合する爪（１９ａ）が成形され、端部には下方に折曲がったフランヂ（１９ｂ）に成型された案内孔に押バネ（２０）が配設され、ブレーキ板（１９）が上蓋ブラケット（４）の案内溝（４ｂ）に沿って装着され、押バネ（２０）先端が上蓋ブラケット（４）の垂直壁に接して弾発されることにより、ブレーキ板（１９）の爪（１９ａ）がラチェット（１２）と歯合するものであって、ラチェット（１２）は、網（１）が拡開される回転方向（本図では時計廻り）には回動が拘束、即ちラチェット（１２）と一体回動する網ロールの巻取軸（１３）の網の拡開方向の回動を拘束するものである。
そして、ブレーキ板（１９）の垂直なフランヂ（１９ｂ）下端には斜面（１９ｃ）が成形され、前記ラッチ（９）先端で二枝に分岐したラッチ先端の上端縁に設けられた斜面（９ｃ）と着脱自在に係合しているものであって、レバー（７ａ）、（７ｂ）を開放するためラッチ（９）が上方に迫り上けられると、ラッチ（９）の斜面（９ｃ）がブレーキ板の斜面（１９ｃ）を押圧して押バネ（２０）を圧縮しながらプレーキ板（１９）を横移動させることで、ブレーキ板（１９）の爪（１９ａ）とラチェット（１２）との歯合が解かれ、ラチェット（１２）、及び巻取軸（１３）の時計廻りの回動拘束が解除されることとなる。逆に、レバー（７ａ）、（７ｂ）を閉成するためにラッチ（９）が降下すると、ブレーキ板（１９）は押バネ（２０）でフィードバックされて再びブレーキ板（１９）の爪（１９ａ）とラチェット（１２）とが再び歯合することとなるものである。
【００２６】
図５は、この発明の第一実施例である縦型ロール網戸を構成する駆動ハンドル（２１）の外観図である。この駆動ハンドル（２１）は、その先端においてピニオン（２２）が一体成型されており、このピニオン（２２）と歯合するラックギア（２３）がギアケース（２４）に上下動自在に内接格納されていると共に、このギアケース（２４）内に内接格納されているラックギア（２３）先端とギアケースの天井壁間にはコイル状の押バネ（２５）が配設され、この押バネ（２５）によって、常時ラックギア（２３）は下方に弾発されているものである。
即ち、駆動ハンドル（２１）はギアケース（２４）に軸着され、ギアケース（２４）は収納ケース（２Ｌ）中間部に固定配設されるものであって、ラックギアー（２３）は連動杆（２ｃ）に固定係合されているので、駆動ハンドル（２１）を回動するとラックギアー（２３）は押バネ（２５）を圧縮しながら上方に摺動すると共に、連動杆（２ｃ）を上昇させるものであり、反対に駆動ハンドル（２１）を解放すると圧縮された押バネ（２５）が伸長することで連動杆（２ｃ）も下方に摺動降下するものであることから、この連動杆（２ｃ）と接続するラッチ（９）が作勤し、上、下枠レール（３２ａ）、（３３ａ）に対するレバー（７ａ）、（７ｂ）による挟持又は開放や、巻取軸（１３）の回動の制御を行うブレーキ板（１９）の爪（１９ａ）とラチェット（１２）との係合を同時に行うこととなるものである。
【００２７】
図６は、この発明の第１実施例であるロール網戸を引違サッシに配設した状態の水平断面図であって、前記収納ケース（２Ｒ）、（２Ｌ）は下端に固定された下蓋ブラケット（３）が下枠レール（３３ａ）、（３３ｂ）を跨いで着脱自在に嵌合され、かつ、下蓋ブラケット（３）に格納された戸車（５）に支持されて上下枠（３２）（３３）内を横走行自在としている。
この引違サッシは、一般的にメーカー毎の機種を問わず、通常の単板ガラスを嵌装する左右障子（３５Ｒ）、（３５Ｌ）であり、その左右縦框（３６Ｒ）、（３６Ｌ）はぼぼ共通した見込寸法で、これを支持する下枠レール（３３ａ）、（３３ｂ）間隔、及び障子（３５Ｒ）、（３５Ｌ）と平行するレール（３３ａ）、（３３ｂ）との間隔（ｄ）も共通した寸法としており、その間隔ｄは２３ｍｍ前後である。そして前述の通り、網ロール（１Ｒ）は、φ１０ｍｍ程度の巻取軸（１３）に、拡開幅８５０〜９００ｍｍのメッシュ状網が外周径φ１９〜２０ｍｍ程にコンパクトに卷回されて、上記障子（３５Ｒ）、（３５Ｌ）とレール（３３ａ）、（３３ｂ）間の隙間（ｄ）に納まるようにして収納ケース（２Ｒ）、（２Ｌ）に内接格納され、かつ網（１）縦縁は樹脂製網押さえフープ（６）に接着固定されると共に、網押さえフープ（６）は縦枠（３４）の偏平なＣ型断面の案内溝（３４ａ）に着脱自在に嵌合されているものである。
尚、縦枠（３４）の案内溝（３４ａ）は、枠とは別体として、例えば樹脂押出型材として造り、縦枠（３４）に接着、又はネジ止めすることも可能とすることで、既設サッシヘの取付施工をも可能とするものである。
また、収納ケース（２Ｒ）、（２Ｌ）下端に固定された下蓋ブラケット（３）には、上記戸車（５）の他に、下枠レール（３３ａ）、（３３ｂ）を着脱自在に挟持係合するレバー（７ａ）、（７ｂ）が軸着格納されているものであり、この収納ケース（２Ｒ）、（２Ｌ）下端に固定された下蓋ブラケット（３）内に軸着格納されているレバー（７ａ）、（７ｂ）は、前述の図３及び図４において示す上蓋ブラケット（４）内に軸着格納されるレバー（７ａ）、（７ｂ）と同様に、収納ケース（２）の案内溝（２ａ）に摺動自在に嵌挿された連動杆（２ｃ）下端に固定接続されてなるラッチ（８）のラッチ先端爪部の傾斜面に押圧係合されて、下枠レール（３３ａ）、（３３ｂ）を強く挟持して、静止固定するものであり、更に、収納ケース（２Ｒ）、（２Ｌ）を横引して網を拡開張設する際に、下蓋ブラケット（３）が引戻し方向に横ずれしないように、レバー（７ａ）、（７ｂ）においては、摩擦抵抗の大きい合成ゴム（７ｃ）が使用されるものである。
【００２８】
従ってこの発明の第１実施例である縦型ロール網戸は以上の構成を具えるので、縦枠引違アルミサッシ枠において網（１）を拡開、張設しようとする場合には、収納ケース（２Ｌ）の駆動ハンドル（２１）を手前側へ回動させると、ピニオン（２２）と係合するラックギア（２３）が一体に付設される押バネ（２５）を圧縮しつつ上昇し、それと一体となる連動杆（２ｃ）が上昇し、連動杆（２ｃ）上下端に接続固定されるラッチ（８）、（９）が上昇し、ラッチ先端の爪（９ｂ）の内側傾斜面がレバー（７ａ）、（７ｂ）の先端斜面（７ｄ）と弱く係合することとなって、前記レバー（７ａ）、（７ｂ）による上下枠の上、下枠レール（３２ａ）、（３３ｂ）の挟持を開放すると共に、同時に、ラッチ（８）、（９）の上昇に伴い、ラッチ斜面（９ｃ）がブレーキ板の斜面（１９ｃ）を押圧して押バネ（２０）を圧縮しながらブレーキ板（１９）を横移動させることで、ブレーキ板（１９）の爪（１９ａ）とラチェット（１２）との歯合が解かれ、ラチェット（１２）、及び巻取軸（１３）の時計廻りの回動拘束が解除されることとなるため、この駆動ハンドル（２１）を回動したままの状態で収納ケース（２Ｌ）を横引きして上下枠（３２）、（３３）の上下枠レール（３２ａ）、（３３ａ）内を摺動させることによって、網（１）は収納ケース（２Ｌ）から引出され、この巻取軸（１３）は、例えば軽量、かつ可撓性の塩化ビニール、又はＡＢＳ等の合成樹脂製の巻取軸とすることによって、長期間の使用等によっても、網を拡開する際に発生する引張力によって撓みぐせがついて、巻取軸の回転に際して円錐運動を起こしてしまうことがなく、円滑に回転運動を行うものとなるので操作力を軽減できつつ拡開することができるものであり、更に適宜位置において、駆動ハンドル（２１）から手を離すことで駆動ハンドル（２１）は圧縮した押バネ（２５）の弾性により瞬間的に逆回転して原状に復帰し、同時に、ラックギア（２３）と連接する連動杆（２ｃ）がラッチ（９）のポケット（９ａ）に収容された押バネ（１１）の押圧により下方へ摺動することで、ラッチ（９）の先端の爪（９ｂ）の内側傾斜面とレバー（７ａ）、（７ｂ）の先端斜面（７ｄ）とを強く係合させて、レバー（７ａ）、（７ｂ）を閉じて上下枠レール（３２ａ）、（３３ａ）を挟持係合することとなって、収納ケース（２Ｌ）を自在の位置に静止固定し、網（１）を希望通りに張設することができる。そして同時に、連動杆（２ｃ）の下方への摺動により、ラッチ（９）が下方へ摺動し、ラッチ（９）の斜面（９ｃ）のブレーキ板（１９）の斜面（１９ｃ）に対する押圧が解除され、ブレーキ板（１９）は押バネ（２０）でフィードバックされて再びプブレーキ板（１９）の爪（１９ａ）とラチェット（１２）とが歯合することとなり、巻取軸（１３）の回転は拘束される。
【００２９】
そして、網（１）を拡間、張設するために上下枠（３２）、（３３）を横引きした収納ケース（２Ｌ）を再び元の位置に引き戻すにあたっては、再び駆動ハンドル（２１）を回動することにより、上記上下枠レール（３２ａ）（３３ａ）に対するレバー（７ａ）、（７ｂ）の挟持係合を解除すると、収納ケース（２Ｌ）内の網ロール（１Ｒ）がトーションスプリング（１４）の賦勢力で卷回され、収納ケース（２Ｌ）は引戻されるものであり、この際、不用意に駆動ハンドル（２１）から手を離しても、押バネ（２５）による駆動ハンドル（２１）の元の方向への回動に伴って連動杆（２ｃ）が下降することで、上記収納ケース（２Ｌ）上下端に固定された上、下蓋ブラケット（３）、（４）に内接格納されたレバー（７ａ）、（７ｂ）が、再び上下枠レール（３２ａ）（３３ａ）を瞬時に挟持するので、収納ケース（２Ｌ）は急停止して、縦枠（３４）に対して衝突することを防止することができるものである。
【００３０】
そしてこの縦型ロール網戸においては、軽量かつ柔軟な樹脂製巻取軸（１３）に網（１）がコンパクトに卷回された網ロール（１Ｒ）をコンパクトな断面の収納ケース（２）に内接格納することができると共に、この収納ケース（２）を強度十分に縦移動杆として使用することができるので、狭いスペースヘの納り性が向上され、拡間張設される網（１）に面外風圧が作用しても網（１）の上下端縁がめくれて隙間が生じ、防虫作用が損なわれるということが防止される。又、ガラス障子（３５Ｒ）、（３５Ｌ）は換気のために全開、又は適宜の開放幅に横引されるものであるから、収納ケース（２Ｒ）、（２Ｌ）を障子縦框（３６Ｒ）、（３６Ｌ）と重り合う位置まで横引して静止固定、あるいは、障子縦框（３６Ｒ）、（３６Ｌ）を横移動して収納ケース（２Ｒ）、（２Ｌ）と重ね合わせることによって、開放部は十分に拡開、張設された網（１）によって防虫をしつつ覆うことが出来るものである。
【００３１】
更に、収納ケース（２Ｌ）を横引して網（１）を拡開張設した後は、ラッチ（９）が降下してレバー（７ａ）、（７ｂ）が上下枠レール（３２ａ）、（３３ａ）を挟持して静止固定されると同時に、ラチェット（１２）はブレーキ板（１９）の爪（１９ａ）との歯合によって網（１）の拡開方向回動が拘束されるので、張設された網（１）に対して面外方向の風圧等の外圧が負荷されても網ロール（１Ｒ）は更に回動して網が拡開されることを防止できることとなり、弓なりに膨んだり、網縁が上枠レール（３２ａ）から外れて隙間が生じることが防止される効果を有している。
【００３２】
尚、網（１）が拡開張設された状態で上蓋ブラケット（４）、及び下蓋ブラケット（３）に、同一レール（３３ａ）上を走行する前記ガラス障子（３５Ｒ）が不用意に横スライドして衝突することとなっても、上、下蓋ブラケット（４）、（３）がストッパーとしての役割を果たすべく、微小横スライドしてその衝撃を吸収するものであり、また収納ケース（２）及び巻取軸（１３）が引き戻し方向にずれても、上記ラチェット（１２）によって網（１）の拡開方向の回動が拘束されている巻取軸（１３）は、巻取方向の回動は拘束されていないので、トーションスプリング（１４）の賦勢力で、緊張が緩んだ網（１）を巻戻すこととなるので、常時網（１）はたるみなく緊張設させ続けることとなるものである。
【００３３】
図７及び図８は、この発明の第２実施例とその変形例であって、先ず図７において示すこの発明の第２実施例は、上記実施例１の縦型ロール網戸において適用さえるものであって、上枠（４３）より、介在させる圧縮バネ（４５ａ）、（４５ｂ）によってその開口丈を伸縮自在としてなるフラットバー（４４ａ）を弾性をもって吊持してなる開口枠に対して、内部にトーションスプリンブ（１４）を装着するシャフト（１７）を挿嵌し、メッシュ状の網（１）を引出自在に巻回保持する巻取軸（１３）、好ましくは軽量、かつ可撓性の塩化ビニール、又はＡＢＳ等の合成樹脂製からなるものを回転自在に軸着保持する収納ケース（２Ｌ）上、下端に配設される蓋ブラケット（２８ａ）、（２８ｂ）のうち、上蓋ブラケット（２８ａ）内に、フラットバー（４４ａ）に当接して転動するよう上部ローラーブラケット（４０ａ）にローラー（３９）を、下蓋ブラケット（２８ｂ）内には、下枠（４２）上を転動する戸車（５）を軸着保持してなるものであり、フラットバー（４４ａ）を吊持する２本の圧縮バネ（４５ａ）、（４５ｂ）においては、開口幅中央側に配設される圧縮バネ（４５ａ）の方が、開口幅端部側に配設される圧縮バネ（４５ｂ）よりも弾発力が弱めに設定されている。
この発明の第２実施例である縦型ロール網戸は以上の構成を具えるので、不用意に収納ケース（２Ｌ）の固定が解除され、網（１）を巻回する巻取軸（１３）内に挿嵌されるシャフト（１７）に装着されたトーションスプリング（１４）の弾性により急激に網（１）が巻戻されることとなっても、上記フラットバー（４４ａ）を吊持する圧縮バネ（４５ａ）、（４５ｂ）の下方に向けての弾発力により、上蓋ブラケット（２８ａ）内のローラー（３９）と下蓋ブラケット（２８ｂ）内の戸車（５）を挟持して、摩擦力によるブレーキ作用を加えることとなり、特に、開口幅中央側に配設される圧縮バネ（４５ａ）の方が、開口幅端部側に配設される圧縮バネ（４５ｂ）よりも弾発力が弱めに設定されていることから、収納ケース（２Ｌ）が縦枠（３１）側へ引き戻されるに従い、垂直方向への挟持力が増加し、収納ケース（２Ｌ）の引戻加速度を抑制してスローダウン、又は急停止することとなるものであると共に、また急停止、又はスローダウンして収納ケース（２Ｌ）が縦枠（３１）に軟着又は引戻されるかの選択は、上記フラットバー（４４）を上枠（４３）に吊持することとなる圧縮バネ（４５ａ）、（４５ｂ）の弾性力の調整で行うことができ、特に急停止した収納ケース（２Ｌ）は所定位置まで手で押し込むことによって衝撃的引戻を防止することができる。
尚、戸車（５）には上記フラットバー（４４）を上枠（４３）に吊持することとなる圧縮バネ（４５ａ）、（４５ｂ）の弾性力による負荷に加えて、収納ケース（２Ｌ）、網（１Ｒ）の荷重が負荷されることとなるので、ローラー（３９）よりも大きな負荷となるが、戸車（５）の車輪の外周径をローラー（３９）の外周径よりも大きくすることによって、戸車（５）とローラー（３９）のころがり摩擦力をほぼ同等とすることが可能であり、又、収納ケース（２Ｌ）は、網（１）によって等分布荷重によって引き戻されるから、傾動することなく垂直を保持しながら走行することとなるものである。
【００３４】
そして、図８において示すものは、この発明の第２実施例である縦型ロール網戸の変形例であり、具体的には、網縦縁を固定する縦枠（３１）直近の上枠（４３）に５〜１０ｃｍ長さのフラットバー（４４）を固定して開口丈を微少縮小させることによって一部を縮小開口丈としてなる枠において、内部にトーションスプリング（１４）を装着するシャフト（１７）を挿嵌し、メッシュ状の網（１）を引出自在に巻回保持する巻取軸（１３）を回転自在に軸着保持する収納ケース（２Ｌ）の上、下端に固定配設される上、下の蓋ブラケット（２８ａ）、（２８ｂ）のうち、下蓋ブラケット（２８ｂ）内においては、下枠（４２）上を転動し、収納ケース（２Ｌ）を走行自在に支持する戸車（５）を保持すると共に、ローラーブラケット（４０ｂ）に軸着保持されるローラー（３９）を設け、上蓋ブラケット（２８ａ）内においては、上枠（４３）及びフラットバー（４４）上を転動するようローラーブラケット（４０ａ）にローラー（３９）を軸着保持した上で、これらのローラーブラケット（４０ｂ）、（４０ａ）において、下蓋ブラケット（２８ｂ）内のローラーブラケット（４０ｂ）上端に連動杆（２ｃ）を接続すると共に、この下蓋ブラケット（２８ｂ）内のローラーブラケット（４０ｂ）に接続固定される連動杆（２ｃ）の先端に、上蓋ブラケット（２８ａ）内のローラーブラケット（４０ａ）に一体に装着される伸縮自在のクッションバネ（４１）を連結してなるものである。
【００３５】
この発明の第２実施例である縦型ロール網戸の変形例は、以上の構成を具えるものであるので、巻取軸（１３）に内接されたトーションスプリングの賦勢力で網（１）が巻取収容されるに従って収納ケース（２Ｌ）が勢良く引戻されると、上下のローラー（３９）はフラットバー（４４）によって縮小された開口間にクッションバネ（４１）を圧縮しながら誘導案内されることとなって、収納ケース（２Ｌ）には上下のローラー（３９）のころがり摩擦によってブレーキが作用し、急停止、又はスローダウンして縦枠（３１）に衝突することなく軟着することとなるものである。
このとき、収納ケース（２Ｌ）のスローダウン、又は急停止のいづれかの動作選択は、巻取軸（１３）に内接する前記トーションスプリング（１４）の賦勢力とクッションバネ（４１）の反発の強さ調整で行えるものであり、途中で急停止した収納ケース（２Ｌ）は軽く手で押込んで縦枠（３１）に密着すれば良いものであるので、収納ケース（２Ｌ）が激しく引戻されて縦枠（３１）に衝突することが防止される効果を有するものである。
尚、下のローラブラケット（４０ｂ）を除去し、上のローラブラケット（４０ａ）に一体に装着されたクッションバネ（４１）の下端を上蓋ブラケット（２８ａ）の底面で支持することにより、戸車（５）と上のローラー（３９）が上記縮小開口丈間に圧入誘導される構造とすることもできるものである。
【００３６】
図９は、この発明の第３実施例であって、勝手ロドア開口や、片開窓の室内側に配設される縦型ロール網戸の横断面図である。
先ず、収納ケース（２）は、ドア開口（２６）に配設される四辺枠組の中で横引されて網（１）を開口部一杯に張設する。ここで、収納ケース（２）は上下端に固定配設される蓋ブラケット（２８ａ）、（２８ｂ）が上下枠レールに横引自在に案内係合され、前記網ロール（１Ｒ）の一端縦縁の網押さえフープ（６）が縦枠（３１）の案内溝（３１ａ）に圧入嵌合されており、収納ケース（２）を横引して対設縦枠に係合装置（図示せず）を用いて着脱自在に固定して網（１）を張設してなるものである。
但し、このままでは網（１）に風圧等の面外方向の外圧が付加されると網（１）は面外方向に引張られて巻取軸（１３）は、更に網（１）を拡開する方向に回動し、巻残した網も全部拡開されて網（１）は中央部で大きく膨み、網上下端縁は上下枠から外れて隙間が生じ、防虫作用が損われることとなるばかりか、網端縁を巻取軸（１３）に接着固定している両面接着テープに引きはぎ力が作用し、網縁が巻取軸（１３）から外れてしまうという欠点を有しているので、そこで図１０に示されるように、前述のラチェット（１２）とシャフト（１７）及び巻取軸（１３）の構成と同様に、巻取軸（１３）上端に突出するラチェット（１２）に、着脱自在に歯合するブレーキ板（２７）を収納ケース（２）上端の蓋ブラケット（２８ａ）に摺動自在に内接格納し、収納ケース（２）を横引して対設縦枠（３１）に係合固定すると同時に巻取軸（１３）の逆回転を拘束するものである。
即ち収納ケース（２）上端の蓋ブラケット（２８ａ）と平行にブレーキ板（２７）を配設し、ブレーキ板（２７）は常時押バネ（２９）で弾発され、ブレーキ板（２７）の爪（２７ａ）はラチェット（１２）から外れて、ラチェット（１２）はフリーであって、ブレーキ板（２７）のフランヂ頭（２７ｂ）は蓋ブラケット（２８ａ）のガイド孔（２８ｃ）から出没自在に突出しているものであり、収納ケース（２）とともに蓋ブラケット（２８ａ）が横引されて縦枠（３１）に圧着されると、ブレーキ板（２７）のフランヂ頭（２７ｂ）が縦枠（３１）に固定された板バネ（３０）に衝突して押バネ（２９）を圧縮しながらガイド孔（２８ｃ）へ没することで、同時にブレーキ板（２７）の爪（２７ａ）がラチェット（１２）と歯合して、巻取軸（１３）の逆転を防止することから、一旦巻取軸（１３）より引出された網（１）はたるみなく緊張設させ続けることとができるものとなる。
尚、蓋ブラケット（２８ａ）の移動ストロークとブレーキ板（２７）がラチェット（１２）と歯合に要するストロークとの遊び誤差は板バネ（３０）の弾発力で吸収し、収納ケース（２）上端部が下方部分より微小遅れて傾斜しても確実にブレーキ板（２７）の爪（２７ａ）はラチェット（１２）に歯合するものであり、拡開、張設される網（１）に面外方向負荷が作用しても、巻取軸（１３）はラチェット（１２）とともに逆回転が拘束されているので網（１）が大きく膨らむことが防止される他、上記網（１）縦縁が巻取軸（１３）から引きはがされる事故が防止される効果を有するものである。
【００３７】
図１１は、この発明の第１実施例、第２実施例及び第３実施例において使用される、例えば、ポリエステルなどの合成樹脂からなるメッシュ状網（１）の外観図であって、前記網縁がポリエステルフープ（３８）で補強された状態である。
即ち、前記説明のようにメッシュ状網は端部に近づく程縦糸が自由端に近づくので縦糸と横糸相互の補強度合が崩れて横方向の伸びが大きくなるが、この横方向への伸びを防止すべく、アクリル、又はウレタン系のコーティング剤で糸を硬めても使用中に解れてエッヂ部分は縒糸が単線となり見苦しい外観を呈することとなり、反り曲がりぐせがつき易く、折曲がったまま巻取軸（１３）に巻取収容され、軽快な巻取動作に支障を来す他、拡開される網縁に隙間か生じ易く防虫効果が損なわれる他、フレア（波打）現象の要因となるものである。
そこで網縁両面にアルミを蒸着して鏡面仕上とした引張強度の強い極薄ポリエステルフープ（０  ０３〜０．０４ｍｍ厚）（３８）を５〜２０ｍｍ幅で網（１）の両側から貼合わせ、絹の桝目から両側のフープ（３８）を一体的に接合して網縁を補強するものであるが、網厚が中間部より厚くなるので、網ロール（１Ｒ）両端外周径が中間部より大きくなり、収納ケース（２）内で円滑な回転動作に支障を来すことになる他、収納ケース内径寸法も大きく成型しなければならないものである。
ところで、絹（１）の厚さは横糸より太い縦糸の外径で決まり、一般的には縦糸は極細ポリエステル糸の縒糸集合体で５５〜７５デニール（糸の太さの単位）で０．３〜０．４ｍｍ径の丸味を帯びた線形断面としているものである。そのため、上記ポリエステルフープ（３８）を網両面から貼合わせてから高圧プレスで上記縦糸を偏平に押潰して貼合せ、厚さを０．２５〜０．２９ｍｍに成型して縦糸の周囲を両面フープの接着力で固めて、縦糸が丸昧を帯びた線形に復元するのを防ぐことで、この補強した網縁の厚さを他の中間部分の網厚さと同等以下とすることで、巻取軸（１３）に巻回される網ロール（１Ｒ）を全体にわたって均一な外周径に仕上けることが出来て、収納ケース（２）内で円滑な巻取動作が得られるものである。
また、強く緊張設される網（１）が風圧力を受けても引張強度が強く補強された網縁は弓なりに反ることなく上下枠レールの垂直壁に密着保持されて防虫作用が保たれる効果を有するものである。
尚、ポリエステルフープ（３８）両面にアルミを蒸着して鏡面仕上とする目的はポリエステル生地表面の密度を高めて通気を完全に遮断することによりフープ（３８）に塗布されるグルーが空気、及び湿気に触れて劣化するのを防止する他、寒暖温度の輻射熱、及び太陽赤外線、紫外線によるグルー劣化の影響を軽減することにある。
【００３８】
【発明の効果】
以上のように、この発明の縦型ロール網戸は、駆動ハンドルの回動操作を行いつつ網戸の開閉操作を行い、その駆動ハンドルの回動操作を解除すれば、網戸が巻き取られて行くことなく、瞬時に強固に静止固定されるとともに、網の不必要な拡開が防止され、網戸の開閉、特に引戻しに際しての衝撃を緩和して、安全性や網戸自体の耐久性を向上させるとともに、防虫作用の確実性を向上させ、又、上下のローラーのころがり摩擦によってブレーキが作用して、引戻しに際しての衝撃を緩和して、安全性や網戸自体の耐久性を向上させ、あるいは網の不必要な拡開を防止して、防虫作用の確実性を向上させ、更に網縁はポリエステルフープで補強され、反り返って折れ曲がったまま巻込まれることが防止される他、網縁の糸解れがなく網の耐久性が頗る向上される等の優れた効果を有するものである。
【図面の簡単な説明】
【図１】  この発明の第１実施例である縦型ロール網戸が引違サッシ枠に配設された状態の内観正面図である。
【図２】  同じく第１実施例である縦型ロール網戸の要部拡大斜視図である。
【図３】  同じく第１実施例である縦型ロール網戸の上端部の分解斜視図である。
【図４】  同じく第１実施例である縦型ロール網戸の上ラッチ部分の分解斜視図である。
【図５】  同じく第１実施例である縦型ロール網戸の駆動ハンドル外観図である。
【図６】  同じく第１実施例である縦型ロール網戸の水平断面図である。
【図７】  この発明の第２実施例である縦型ロール網戸の正面図である。
【図８】  この発明の第２実施例である縦型ロール網戸の変形例の正面図である。
【図９】  この発明の第３実施例である縦型ロール網戸の横断面図である。
【図１０】  同じく第３実施例である縦型ロール網戸の平面図である。
【図１１】  この発明の第１実施例、第２実施例及び第３実施例である縦型ロール網戸に使用される網の外観図である。
【符号の説明】
１  網
１Ｒ  網ロール
２、２Ｒ、２Ｌ  収納ケース
２ｃ  連動杆
２ａ  案内溝
２ｓ  スリット
３  （下）蓋ブラケット
４  （上）蓋ブラケット
４ｂ  案内溝
４ｃ  案内溝
５  戸車
６  網押さえフープ
７ａ、７ｂ  レバー
７ｃ  合成ゴム
７ｄ  先端斜面
８  （下）ラッチ
９  （上）ラッチ
９ａ  ポケット
９ｂ  爪
９ｃ  斜面
１０  巻バネ
１１  押バネ
１２  ラチェット
１２ａ  凸条
１３  巻取軸
１３ａ  スリット
１４  トーションスプリング
１５、１６  スプリング端子
１７  シャフト
１８  天蓋
１８ａ  ボス
１９  ブレーキ板
１９ａ  爪
１９ｂ  フランヂ
１９ｃ  斜面
２０  押バネ
２１  駆動ハンドル
２２  ピニオン
２３  ラックギア
２４  ギアケース
２５  押バネ
２６  ドア開口
２７  ブレーキ板
２７ａ  爪
２７ｂ  フランヂ頭
２８ａ、２８ｂ  蓋ブラケット
２９  押バネ
３０  板バネ
３１  縦枠
３１ａ  案内溝
３２  上枠
３２ａ、３２ｂ  上枠レール
３３  下枠
３３ａ、３３ｂ  下枠レール
３４  縦枠
３４ａ  案内溝
３５Ｒ  右障子
３５Ｌ  左障子
３６Ｒ  右縦框
３６Ｌ  左縦框
３８  ポリエステルフープ
３９  ローラー
４０ａ、４０ｂ  ローラーブラケット
４１  クッションバネ
４２  下枠
４３  上枠
４４、４４ａ  フラットバー
４５ａ、４５ｂ  圧縮バネ
【図１】
0004147511.tif 000002
【図２】
0004147511.tif 000003
【図３】
0004147511.tif 000004
【図４】
0004147511.tif 000005
【図５】
0004147511.tif 000006
【図６】
0004147511.tif 000007
【図７】
0004147511.tif 000008
【図８】
0004147511.tif 000009
【図９】
0004147511.tif 000010
【図１０】
0004147511.tif 000011
【図１１】
0004147511.tif 000012